(57)【要約】【課題】  露光処理部から単列で供給される露光済みの感材を複数列に振り分けて現像処理部に受け渡し可能な振り分け搬送ユニットを有する感材受け渡し装置において、感材の長手方向軸芯が感材の進行方向に対して傾斜した姿勢で現像処理部に受け渡される傾向が抑制された感材受け渡し装置を提供する。【解決手段】  振り分け搬送ユニット５０は、露光処理部から感材２を受け取る受け取り位置と、感材を現像処理部の複数の導入部６０に受け渡す受け渡し位置との間で往復移動するように左右両持ち状に支持された移動アーム３１と、感材を挟持しつつ移動アーム上を複数の導入部の一方に向かって左右に往復移動可能な単一の横移動部材３２とを備え、現像処理部の各導入部は、感材を挟持する挟持部材６１と、感材の挟持部材より上流側の箇所を湾曲状に矯正する矯正機構６３とを備えている構成とした。【選択図】        図４
2005115262.tif 000002
【特許請求の範囲】
【請求項１】
露光処理部から単列で供給される露光済みの感材を複数列に振り分けて現像処理部に受け渡し可能な振り分け搬送ユニットを有する感材受け渡し装置であって、
前記振り分け搬送ユニットは、露光処理部から感材を受け取る受け取り位置と、感材を前記現像処理部の複数の導入部に受け渡す受け渡し位置との間で往復移動するように左右両持ち状に支持された移動アームと、感材を挟持しつつ前記移動アーム上を前記複数の導入部のいずれか一方に向かって左右に往復移動可能な単一の横移動部材とを備え、
前記現像処理部の前記各導入部は、受け渡された感材を挟持する挟持部材と、感材の前記挟持部材よりも上流側に位置する箇所を湾曲状に矯正する矯正機構とを備えている感材受け渡し装置。
【請求項２】
前記矯正機構は、感材の所定箇所と接当して前記所定箇所を感材の面と交差する方向に押し込む作用部を有する操作部材を有し、前記操作部材は、前記作用部が感材を湾曲状に矯正する操作位置と、前記作用部が前記振り分け搬送ユニットによって前記導入部に送られる感材の移動経路から退避した退避位置との間で変位可能に設けられており、さらに、前記振り分け搬送ユニットの前記導入部への接近に応じて前記操作部材を前記退避位置に切り換え、前記振り分け搬送ユニットの前記導入部からの離間に応じて前記操作部材を前記操作位置に切り換える切り換え機構を有する請求項１に記載の感材受け渡し装置。
【請求項３】
前記切り換え機構は、前記操作部材を前記操作位置に付勢する付勢機構と、前記振り分け搬送ユニットの前記導入部への接近に応じて前記操作部材を前記退避位置に切り換えるために前記振り分け搬送ユニットに設けられた補助操作部材とを有する請求項２に記載の感材受け渡し装置。
【請求項４】
前記振り分け搬送ユニットの前記補助操作部材は、前記振り分け搬送ユニットの移動方向に沿って相対移動可能に前記振り分け搬送ユニット上に支持された操作ロッドであり、前記操作ロッドを前記導入部に向かってより長く突出した状態に付勢する付勢手段が設けられている請求項３に記載の感材受け渡し装置。
【発明の詳細な説明】
【技術分野】
【０００１】
本発明は、露光処理部から単列で供給される露光済みの感材を複数列に振り分けて現像処理部に受け渡し可能な振り分け搬送ユニットを有する感材受け渡し装置に関する。
【背景技術】
【０００２】
この種の感材受け渡し装置としては、本発明に関連する先行技術文献情報として下記に示す特許文献１がある。この特許文献１に記された感材受け渡し装置は、垂直に配置された保持プレートと、この保持プレートの左右の辺に上下方向に往復移動可能に支持された一対の搬送体とを有し、この左右一対の搬送体の各々には、横向きに往復移動可能な移動体が支持されている。そして、各移動体には感材の幅方向に沿った軸芯回りで揺動可能な揺動部材が支持されており、更にこの揺動部材には、感材受け入れのための間隙を間に形成した解除姿勢と感材を圧着する圧着姿勢との間で切り換え可能な互いに対向するチャッキングローラ対が設けられている。
露光部から感材が排出される排出レベルまで例えば左側の搬送体が下降すると、揺動部材は、保持プレートに対して固定された接当操作部材との接当に基づいて揺動操作されることで、チャッキングローラ対が横向きに並ぶ「水平姿勢」からチャッキングローラ対が上下に並ぶ「受け入れ姿勢」に約９０°だけ角度姿勢が切り換えられ、同時に、切換えモータとカムによって上方に移動操作される切換え板によってチャッキングローラは解除姿勢に切り換えられる。この状態で、チャッキングローラの間に、露光部から乳剤面が上を向いた水平な姿勢で送り出された感材（感材は幅方向に関して保持プレートの中央部に送り出される）が受け入れられると、切換え板の下降によってチャッキングローラは圧着姿勢に切り換えられ、引き続き、左側の搬送体は現像処理部にある左側の導入ローラに向かって上昇させられる。この上昇の途中で揺動部材は接当操作部材との接当状態から解放されるため、コイルバネの付勢力に基づいて、前記「水平姿勢」に揺動操作される。すなわち、この揺動操作によって、チャッキングローラに挟持されている感材は表裏を入れ換えられ、乳剤面が保持プレートに面した垂直な姿勢になって、左側の導入ローラに受け渡され、現像処理部の左側のレーンに沿って搬送開始される。次に、今度は、右側の搬送体が排出レベルまで下降し、ここで露光部から次の感材を受け取り、前述の左側の搬送体と同様の経過を経て、前記次の感材を右側の導入ローラに受け渡し、この感材は現像処理部の右側のレーンに沿って搬送開始される。このようにして、交互に上下往復する左右一対の搬送体によって、露光部から一列で排出される感材を左右２列に並んだ状態に振り分けて現像処理部に受け渡すことができる。
すなわち、この従来技術の感材受け渡し装置では、露光部から横向き姿勢で排出された感材を、約９０°反転させられた縦向き姿勢に姿勢変更した上で現像処理部の導入ローラに受け渡しすることで、感材の表裏を入れ換えた状態でしかもスムースに受け渡しできると同時に、少なくとも感材が比較的幅の小さなＬ版などの場合、感材を左右２列に並んだ状態（実際には左右の感材の間に進行方向のずれを生じた千鳥状の並列状態になる）で現像処理部に挿入できる（尚、この振り分け操作は現像処理部での処理能力を高めるために行われる）。
【特許文献１】特開２００２−５５４００号公報（段落番号００１９〜００２１、００２３、００２７、００２９〜００３３、００３５、図３〜図９）。
【発明の開示】
【発明が解決しようとする課題】
【０００３】
しかし、特許文献１の感材受け渡し装置には、左右の移動体とチャッキングローラとは、保持プレートの面に沿って交互に上下往復する際に互いに離合可能なように、保持プレートの左右の端部付近を上下に移動する各搬送体から、保持プレートの中央向きに延びた片持ち構造となっている。このような片持ち構造の結果として、チャッキングローラが特に保持プレートの面に垂直な軸芯周りでぐらつき易い、或いは、感材がチャッキングローラに対して挟持中に回転し易いために、チャッキングローラから導入ローラに受け渡される感材の姿勢も不安定となるため、感材の長手方向軸芯が感材の進行方向に対して傾斜した姿勢で現像処理部に受け渡される傾向があった。このような傾向があると、前後に隣接した感材どうしが一部重なり合った状態で現像処理部を搬送される、或いは、乾燥部から排出された完成プリントが角どうしの良く揃わない不揃い状態でソータ上などに積み重ねられる、等の結果を招く虞がある。
【０００４】
従って、本発明の目的は、上に例示した従来技術の感材受け渡し装置の持つ前述した欠点に鑑み、感材の長手方向軸芯が感材の進行方向に対して傾斜した姿勢で現像処理部に受け渡される傾向が少なく、そのため、感材どうしが一部重なり合った状態で現像処理部を搬送されたり、乾燥部から排出された完成プリントが不揃い状態でソータ上などに積み重ねられる虞の抑制された感材受け渡し装置を提供することにある。
【課題を解決するための手段】
【０００５】
本発明の第１の特徴構成は、露光処理部から単列で供給される露光済みの感材を複数列に振り分けて現像処理部に受け渡し可能な振り分け搬送ユニットを有する感材受け渡し装置であって、
前記振り分け搬送ユニットは、露光処理部から感材を受け取る受け取り位置と、感材を前記現像処理部の複数の導入部に受け渡す受け渡し位置との間で往復移動するように左右両持ち状に支持された移動アームと、感材を挟持しつつ前記移動アーム上を前記複数の導入部のいずれか一方に向かって左右に往復移動可能な単一の横移動部材とを備え、
前記現像処理部の前記各導入部は、受け渡された感材を挟持する挟持部材と、感材の前記挟持部材よりも上流側に位置する箇所を湾曲状に矯正する矯正機構とを備えていることにある。
【０００６】
従って、本発明の第１の特徴構成による感材受け渡し装置では、感材受け取り位置と感材受け渡し位置との間で往復移動する移動アームが感材受け渡し装置のフレーム部材などに左右両持ち状に支持されているので、移動アーム自身も、また、移動アームに支持された横移動部材も、前記フレーム部材などに対してぐらつき難く、或いは、横移動部材に挟持されている感材も横移動部材に対して回転し難いために、横移動部材から導入部に受け渡される感材の姿勢もより安定化し、感材は長手方向軸芯が感材の進行方向と平行に延びた正しい姿勢で現像処理部に受け渡され、その結果、感材どうしが一部重なり合った状態で現像処理部を搬送される、或いは、乾燥部から排出された完成プリントが角どうしの良く揃わない不揃い状態でソータ上などに積み重ねられる等の現象が抑制される。
ところで、前記移動アームを単純に左右両持ちにしただけでは、一方の導入部に受け渡した先行する感材の後半側（この後半側の部位は受け渡し直後は未だ導入部から上流側に出ている）に、後続の感材を隣の導入部に受け渡しに来た移動アームが接触して感材を損傷する虞があるため、先行する感材と後続の感材との間に前後方向の余分な距離を取っておく必要が生じ、結果として処理能力を高められないという問題が生じる。しかし、本発明の第１の特徴構成による感材受け渡し装置では、感材の前記導入部よりも上流側に位置する箇所が矯正機構によって湾曲状に矯正されるので、先行する感材の後半側が一方の導入部から上流側に残された状態で、横移動部材が後続の感材を他方の導入部に受け渡そうとする時に、移動アームなどが先行する感材に接触して感材を損傷する虞がなく、結果的に、導入部への感材の受け渡し速度を速くすることが可能になり、処理速度が高められる。
【０００７】
本発明の第２の特徴構成は、前記矯正機構は、感材の所定箇所と接当して前記所定箇所を感材の面と交差する方向に押し出す作用部を有する操作部材を有し、前記操作部材は、前記作用部が感材を湾曲状に矯正する操作位置と、前記作用部が前記振り分け搬送ユニットによって前記導入部に送られる感材の移動経路から退避した退避位置との間で変位可能に設けられており、さらに、前記振り分け搬送ユニットの前記導入部への接近に応じて前記操作部材を前記退避位置に切り換え、前記振り分け搬送ユニットの前記導入部からの離間に応じて前記操作部材を前記操作位置に切り換える切り換え機構を有することにある。
従って、本発明の第２の特徴構成による感材受け渡し装置では、矯正機構として感材の所定箇所を接当を介して押し出す操作部材を用いているので、簡単で安価に実現可能な構成ながら、感材を確実に湾曲化させる矯正機構が得られる。そして、切り換え機構によって、振り分け搬送ユニットの導入部への接近に応じて操作部材を退避位置に切り換えるので、導入部へ受け渡される感材の進路を操作部材の作用部が妨げず、従って感材が前記作用部によって損傷されることがない。
【０００８】
本発明の第３の特徴構成は、前記切り換え機構は、前記操作部材を前記操作位置に付勢する付勢機構と、前記振り分け搬送ユニットの前記導入部への接近に応じて前記操作部材を前記退避位置に切り換えるために前記振り分け搬送ユニットに設けられた補助操作部材とを有することにある。
従って、本発明の第３の特徴構成による感材受け渡し装置では、通常は操作部材を付勢機構によって操作位置に付勢しておき、振り分け搬送ユニットが運んでくる感材が操作部材に接触する前のタイミングで振り分け搬送ユニットに設けられた補助操作部材が操作部材を退避位置に切り換えるだけで、非常に構造が簡単で確実に作動する矯正機構が実現される。
【０００９】
本発明の第４の特徴構成は、前記振り分け搬送ユニットの前記補助操作部材は、前記振り分け搬送ユニットの移動方向に沿って相対移動可能に前記振り分け搬送ユニット上に支持された操作ロッドであり、前記操作ロッドを前記導入部に向かってより長く突出した状態に付勢する付勢手段が設けられていることにある。
従って、本発明の第４の特徴構成による感材受け渡し装置では、振り分け搬送ユニットの導入部への近接に応じて、振り分け搬送ユニットから導入部に向かって長く突出した操作ロッドが、導入部に設けられた操作部材に作用してこれを退避位置に切り換えることで、感材が操作部材と接触するよりも前に操作部材を退避位置に切り換えておくことができる。しかも、操作ロッドが退避位置に切り換えられた後では、振り分け搬送ユニットの導入部への更なる近接に応じて、操作ロッドは振り分け搬送ユニットに対して収縮する方向に相対移動可能に構成されているので、振り分け搬送ユニットは、操作部材を退避位置に保持したままで、導入部に十分近づき感材を導入部に確実に受け渡すことができる。
【００１０】
本発明によるその他の特徴および利点は、以下図面を用いた実施形態の説明により明らかになるであろう。
【発明を実施するための最良の形態】
【００１１】
本発明の実施形態の一例について図面に基づいて解説する。
（写真プリント装置の概略構成）
図１は、現像済みの写真フィルムまたはデジタル記録媒体に担持された画像情報に基づいて銀塩式の写真プリントを出力する写真プリント装置の一例を示す。この写真プリント装置は画像処理部Ａとプリント処理部Ｂとを備えており、プリント処理部Ｂの一部として本発明による感材受け渡し装置が備えられている。
画像処理部Ａは、写真フィルム１の各画像駒の画像情報をＲ、Ｇ、Ｂの３原色に色分解し、デジタル信号化して取り込む機能の他にメモリカードやＭＯ等の記録媒体から画像データを取り込む機能をも有する。プリント処理部Ｂは、画像処理部Ａから送られる画像情報に基づいて印画紙２（感材の一例）に露光操作を行い、現像処理して写真プリントとして出力する。
【００１２】
より具体的には、画像処理部Ａは写真フィルム１の各画像駒の画像データを取り込むスキャナー３と、取り込んだ画像データに基づく画像イメージやその他の必要な情報を表示するモニター４とを備え、テーブル５の上面には各種の情報を入力するための操作卓６を備え、テーブル５の下方には汎用コンピュータからなる処理装置７を備えている。処理装置７はマイクロプロセッサ、データを記憶するメモリ、データを保存するハードディスク等を内蔵し、さらに、メモリカードやＭＯ等の記録媒体から画像データを取り込むメディアリーダ８を備えている。
【００１３】
次に、プリント処理部Ｂは、印画紙マガジンＭから供給される印画紙２に露光処理を行って送り出す露光処理部ＥＸと、この露光処理部ＥＸから送られる印画紙２の現像処理を行うための複数の現像処理槽からなる現像処理部ＤＥと、この現像処理部ＤＥで現像処理された印画紙２を乾燥して送り出す乾燥部ＤＲとを備えている。露光処理部ＥＸには、ロール状の印画紙２を収めた印画紙マガジンＭが設けられており、この印画紙マガジンＭから印画紙２を引き出し、プリントサイズに切断して水平方向に送る横搬送装置ＣＨと、この横搬送装置ＣＨからの印画紙２を水平方向に送りながら主走査方向にライン露光を行う露光装置Ｅｍと、この露光装置Ｅｍから送り出された露光済みの印画紙２を受け取って、上方に位置する現像処理部ＤＥの導入部６０に送る縦搬送装置ＣＶとを備えて構成されている。
【００１４】
（横搬送装置ＣＨの概略構成）
図２に示すように、横搬送装置ＣＨは、印画紙マガジンＭから引き出された印画紙２を搬送するローラ対１１と、この印画紙２を所定の送り長さに切断するカッター１２と、このカッター１２で矩形の所定サイズ（Ｌ判或いは六つ切判などのサイズが含まれる）に切断された印画紙２をチャッキングして水平方向に送るチャッカー１３とを備えている。露光装置Ｅｍは、横搬送装置ＣＨのチャッカー１３によって紙面の左向きに送られる印画紙２を受け入れる搬入ローラ１５と、搬入ローラ１５がさらに紙面の左向きに送り込む印画紙２に対してレーザ光による走査露光を行う露光エンジン１６と、この露光エンジン１６の光出射部１６ａを基準にして印画紙２の搬送上手側と搬送下手側とに配置された２組の露光ローラ対１７，１８とを備えている。各露光ローラ対１７，１８は、ステッピングモータ（不図示）によって一定速度で回転駆動される固定ローラ１７と、この固定ローラ１７に対して圧着する圧着姿勢と、固定ローラ１７から離間する離間姿勢との間で個々に切換え可能な２つの圧着ローラ１８とからなる。この露光装置Ｅｍでは、２組の露光ローラ対１７，１８のうちの少なくとも一方の露光ローラ対１７，１８（上流側の組または下流側の組）で印画紙２を圧着し、予め設定された速度で副走査方向に搬送すると同時に露光エンジン１６によって主走査方向への露光を行うよう露光の処理形態が設定されている。
【００１５】
（縦搬送装置ＣＶの概略構成）
図３に示すように、縦搬送装置ＣＶ（本発明による感材受け渡し装置の一例）は、露光装置Ｅｍから単列で送り出される露光済みの印画紙２を受け取って印画紙２の向きを反転させる反転ユニット２０と、反転ユニット２０からやはり単列で送り出される印画紙２を受け取り、下流側（上方）に位置する現像処理部ＤＥの導入部６０まで搬送する振り分け搬送ユニット５０とを有する。振り分け搬送ユニット５０は、印画紙２を基本的な搬送方向（印画紙２の送り長さに沿った方向）と交差する左右方向（図３の紙面を貫通する方向に当たる）に並んだ２列（複数列の一例）の千鳥状に振り分ける振り分け機能を有する。反転ユニット２０と振り分け搬送ユニット５０は、上下と左右に延びた概して矩形の保持プレート２１に支持されている。
【００１６】
（反転ユニット２０の構成）
図３、図４及び図５に示すように、反転ユニット２０は、保持プレート２１に対して印画紙２の幅方向と平行な横向きの軸芯Ｘ1周りで回動可能に支持された反転フレーム２２を有する。具体的には反転フレーム２２は後述する出力軸３９に支持されている。図４に示すように、反転フレーム２２は、反転フレーム２２の一側面（露光装置Ｅｍから見て左側面）に固着されたタイミングプーリＰ１と、ステッピングモータからなる揺動モータＭ１と、タイミングプーリＰ１と揺動モータＭ１の出力軸との間に掛け渡されたタイミングベルトＢ１とによって揺動操作される。反転フレーム２２には、露光装置Ｅｍから供給される露光済みの印画紙２を受け取って挟持する第１挟持ローラ対２３，２４がいずれも回転可能に支持されている。第１挟持ローラ対２３，２４は、ステッピングモータからなる送りモータＭ３とタイミングベルトＢ３などによって軸芯Ｘ1周りで回転駆動される駆動ローラ２３と、駆動ローラ２３に対して圧着された圧着姿勢と駆動ローラ２３から離間した開放姿勢との間で切り換え可能に設けられた従動ローラ２４とからなる。
【００１７】
図６に示すように、従動ローラ２４は、反転フレーム２２に対して軸芯Ｘ1と平行な軸芯Ｘ２周りで揺動可能な圧着フレーム２５に回転自在に支持されている。圧着フレーム２５の基端側には、軸芯Ｘ２と軸芯を共有する操作軸２６が固定されており、操作軸２６の一端は反転フレーム２２から（同じく露光装置Ｅｍから見て）左外方に突出しており、この突出した操作軸２６の端部からは、圧着フレーム２５と概して同じ角度で操作アーム２７が延びている。操作アーム２７の遊端には遊転コロ２８が支持されている。また、保持プレート２１には、ステッピングモータからなる圧着モータＭ２とタイミングベルトＢ２などによって軸芯Ｘ1周りで回動操作される圧着カム３０が設けられており、操作アーム２７は、コイルバネ２９（図９を参照）によって、遊転コロ２８が圧着カム３０のカム面に押し付けられるように常に付勢されている。尚、従動ローラ２４の軸２４ａは圧着フレーム２５の左右に設けられた長孔状の凹部（図６における上下方向に延びている）内に支持され、且つ、軸２４ａの両端付近と反転フレーム２２の左右両端から突出した保持プレート２２ｐの間には圧縮コイルばね２２ｓが介装されている。圧縮コイルばね２２ｓは圧着フレーム２５の左右両端の各遊端側に形成されたバネ挿通孔２５ｂを貫通して設けられている。すなわち、従動ローラ２４の軸２４ａの左右の端部は、前記長孔状の凹部内を左右各別に独立して移動可能であり、同時に、保持プレート２２ｐ下方の圧縮コイルばね２２ｓによって駆動ローラ２３の向きに付勢されており、この構成によって、駆動ローラ２３の軸芯と操作軸２６の軸芯、或いは、駆動ローラ２３の軸芯と圧着フレーム２５とが厳密には平行でなくても、従動ローラ２４と駆動ローラ２３の間に働く圧着力はローラの軸芯に沿って均一となる。
【００１８】
図９に示すように、圧着カム３０のカム面は、その円周方向に沿って、最も半径の小さな小径面３０ａと、小径面３０ａよりも径の大きな中径面３０ｂと、中径面３０ｂよりも更に径の大きな大径面３０ｃとを有する。小径面３０ａと中径面３０ｂ、及び、中径面３０ｂと大径面３０ｃは夫々滑らかに曲率が増大する遷移部を介して隣接している。また、小径面３０ａは約１４０°の角度範囲を有し、中径面３０ｂと大径面３０ｃとはいずれも４０°〜５０°程度の角度範囲を有している。圧着カム３０の反転フレーム２２に対する相対的な回転角度に応じて、図１０（ｂ）に示すように、遊転コロ２８が小径面３０ａに支持されている時には、従動ローラ２４は駆動ローラ２３に対して圧着された「圧着姿勢」に保持される。他方、図９及び図１０（ａ）に示すように、遊転コロ２８が中径面３０ｂに支持されている時には、従動ローラ２４は駆動ローラ２３から僅かに離間した「中間開放姿勢」に保持され、図１０（ｄ）に示すように、遊転コロ２８が大径面３０ｃに支持されている時には、従動ローラ２４は駆動ローラ２３から更に大きく離間した「完全開放姿勢」に保持される。
【００１９】
また、揺動モータＭ１の回転制御に基づいて、反転ユニット２０の反転フレーム２２は、露光装置Ｅｍから露光済みの印画紙２を受け取るために、第１挟持ローラ対２３，２４が上下に並んだ、言い換えれば、従動ローラ２４が駆動ローラ２３の真上に位置する「受け入れ姿勢」と、第１挟持ローラ対２３，２４に挟持されている印画紙２を振り分け搬送ユニット５０に受け渡すために、第１挟持ローラ対２３，２４が前後に並んだ、言い換えれば、駆動ローラ２３の真横（従動ローラ２４が駆動ローラ２３を挟んで露光装置Ｅｍの反対側に有る）に位置する「受け渡し姿勢」との間で、約９０°だけ切り換えられる。図１０（ａ）と図１０（ｂ）には反転フレーム２２の「受け入れ姿勢」が、図１０（ｃ）と図１０（ｄ）には反転フレーム２２の「受け渡し姿勢」が示されている。
尚、圧着フレーム２５の下面の先端側には、露光装置Ｅｍから送り出される露光済みの印画紙２を、第１挟持ローラ対２３，２４の間に確実に且つ円滑に案内するための受け入れ案内板２５ａが設けられている。
【００２０】
（振り分け搬送ユニット５０の構成）
図４と図５に示すように、振り分け搬送ユニット５０は、保持プレート２１の垂直な面に沿って、露光処理部ＥＸから（より具体的には反転ユニット２０から）印画紙２を受け取る受け取り位置と、受け取った印画紙２を現像処理部ＤＥの左右２つの導入部６０のいずれか一方に受け渡す受け渡し位置との間で上下に往復移動可能に支持された縦移動部材３１（移動アームの一例）と、縦移動部材３１上に左右に往復移動可能に支持された横移動部材３２（横移動部材の一例）とを有する。
縦移動部材３１は、保持プレート２１の左右の端部付近にて上下に延びた円柱状の一対の案内ロッド３３によって直線状に案内されながら、各案内ロッド３３よりも保持プレート２１の中央側にて上下に延びた一対のタイミングベルトＢ４と、左方のタイミングベルトＢ４をタイミングプーリを介して回転駆動するステッピングモータからなる縦移動モータＭ４によって上下に往復移動操作される。左右のタイミングベルトＢ４どうしは、保持プレート２１の上端付近において左右に延びた連結シャフト３４によって同方向に同期駆動され、縦移動部材３１は左右のタイミングベルトＢ４の（露光装置Ｅｍから見て）手前側の一部に固定されている。このように、縦移動部材３１は、保持プレート２１の左右の一端から中央側に向けて支持された片持ち構造ではなく、左右の端部において、左右の各タイミングベルトＢ４に同時に支持された両持ち構造を備えているので、縦移動部材３１に対してやはり両持ち構造で支持された横移動部材３２、並びに、横移動部材３２によって挟持された印画紙２は、印画紙２の面に対する垂線回りで不用意に揺動することのない安定した角度姿勢を維持したまま、上下に搬送される。
【００２１】
縦移動部材３１の左端にはステッピングモータからなる横移動モータＭ５が配置されており、他方、縦移動部材３１の中央部と右端との中間部付近にはタイミングプーリＰ２が遊転可能に支持されている。そこで、横移動部材３２は、横移動モータＭ５とタイミングプーリＰ２の間に掛け渡されたタイミングベルトＢ５の一部に連結されることで、横移動モータＭ５の正転および逆転の回転駆動に基づいて左右に移動操作される。
尚、この明細書では便宜的に露光装置Ｅｍ側から保持プレート２１を見た状態で、保持プレート２１の中央より右側を右方或いは右端と呼び、左側を左方或いは左端と呼ぶ。
図３から図５に示すように、横移動部材３２には、反転ユニット２０から上方に送り出される印画紙２を圧着挟持する第２挟持ローラ対３５，３６が回転可能に支持されている。第２挟持ローラ対３５，３６は、振り分け搬送ユニット５０が反転ユニット２０と連結された時に反転ユニット２０の送りモータＭ３の駆動力によって、（後述する回転伝達機構３８を介して）回転駆動される駆動ローラ３５と、駆動ローラ３５に圧着された状態で支持された従動ローラ３６とからなる。駆動ローラ３５は、縦移動部材３１の右端に向かって延びた連結シャフト３７と一体回転するように構成されている。
また、振り分け搬送ユニット５０の縦移動部材３１の左右の中央部付近には、上方に向かって突出した２本の操作ロッド５１が設けられている。操作ロッド５１の機能については後述する。
さらに、振り分け搬送ユニット５０の横移動部材３２には、第２挟持ローラ対３５，３６によって挟持された印画紙２の第２挟持ローラ対３５，３６よりも上方に送り出された部位が保持プレート２１側或いは保持プレート２１と反対側に余り倒れ込まないように同部位を表裏両面から支持可能な２枚の支持板３２ａが設けられており、更にこの支持板３２ａには上方に突き出た一対の細い補助突起３２ｂが含まれている。
【００２２】
（回転伝達機構３８の構成）
反転ユニット２０と振り分け搬送ユニット５０との間には、反転ユニット２０の送りモータＭ３の駆動力を連結シャフト３７に伝達するための回転伝達機構３８が設けられている。この回転伝達機構３８は、反転ユニット２０の右端付近に設けられた出力部３８ａと、振り分け搬送ユニット５０の縦移動部材３１の右端付近に設けられた入力部３８ｂとからなる。これらの出力部３８ａと入力部３８ｂとは、振り分け搬送ユニット５０の縦移動部材３１が受け取り位置に位置し、且つ、横移動部材３２の第２挟持ローラ対３５，３６の左右の中心が反転ユニット２０の第１挟持ローラ対２３，２４の左右の中心と一致する時（この状態を横移動部材３２がホームポジションに位置すると定義しておく）にのみ、互いに連結され、反転ユニット２０の送りモータＭ３の駆動力の連結シャフト３７への伝達が可能になる。
図５と図８に示すように、伝動機構３８の出力部３８ａは、反転ユニット２０の駆動ローラ２３と一体回転する出力軸３９に固定された出力ギヤＧ１と、出力ギヤＧ１と噛合した第１中間ギヤＧ２とを有し、第１中間ギヤＧ２は、出力軸３９上に揺動可能に支持された位置決めブラケット４０の遊端側に遊転支持されている。位置決めブラケット４０は、コイルバネ４１によって位置決めブラケット４０の上端のカム部４０ａが露光装置Ｅｍ側に変位するように付勢されている。
他方、伝動機構３８の入力部３８ｂは、連結シャフト３７に固定された入力ギヤＧ４と、入力ギヤＧ４と噛合した第２中間ギヤＧ３とを有する。また、第２中間ギヤＧ３の基端部には接当スリーブ４２が配置されている。
【００２３】
図８（ａ）の下向きの矢印が示すように、横移動部材３２が前記ホームポジションに位置する状態で振り分け搬送ユニット５０が反転ユニット２０に向かって下降接近すると、先ず、接当スリーブ４２が、位置決めブラケット４０のカム部４０ａに接当し、引き続き、接当スリーブ４２からのカム部４０ａに対する押し付け作用に基づいて、位置決めブラケット４０をコイルバネ４１の付勢力に抗して揺動させながら更に下降することで、振り分け搬送ユニット５０と反転ユニット２０の間の衝撃的な衝突がコイルバネ４１の付勢力によって緩和された状態で、最終的に図８（ｂ）が示すように、第１中間ギヤＧ２と第２中間ギヤＧ３との間の噛合状態が達成される。また、この噛合状態が得られる際に、第１中間ギヤＧ２と第２中間ギヤＧ３との間で双方の歯の先端どうしが正面衝突することのないように、第１中間ギヤＧ２と第２中間ギヤＧ３とは、図８の左右方向に変位配置されている。
上記の噛合状態が保持されている間は、反転ユニット２０の送りモータＭ３の駆動力は、反転ユニット２０の駆動ローラ２３、出力軸３９、出力ギヤＧ１、第１中間ギヤＧ２、第２中間ギヤＧ３、入力ギヤＧ４、連結シャフト３７の順に伝達され、連結シャフト３７と一体回転する駆動ローラ３５に伝えられる。これによって、反転ユニット２０の駆動ローラ２３と振り分け搬送ユニット５０の駆動ローラ３５とは、互いに同一方向に同期回転する。
【００２４】
（導入部６０の構成）
図７に示すように、現像処理部ＤＥの導入部６０は左右２箇所に横並び状に設けられている。各導入部６０は、振り分け搬送ユニット５０から受け渡された印画紙２を挟持するために常時互いに圧着されている導入ローラ対６１ａ，６１ｂと、印画紙２の導入ローラ対６１ａ，６１ｂによって挟持されている箇所よりも上流側（実際には下方側）に位置する箇所を湾曲状に矯正するための矯正機構６３とを備えた導入アセンブリ７０からなる。
導入アセンブリ７０は、導入ローラ対６１ａ，６１ｂを回転自在に支持する導入フレーム７１を備え、この導入フレーム７１の下面側には、印画紙２の先端を導入ローラ対６１ａ，６１ｂの間に案内するための滑らかな湾曲面を有する案内面７１ａが一体形成されている。
【００２５】
矯正機構６３は、導入フレーム７１の所定箇所に設けられた水平な軸芯Ｘ３周りで揺動自在に支持された揺動アーム６４（操作部材の一例）と、この揺動アーム６４の姿勢を切り換えるための後述する切り換え機構とからなる。揺動アーム６４は、全体として概してＬ字状の側面形状を有し、その揺動軸芯Ｘ３が配置された第１端部６４ａから第１遊端６４ｂまで直線状に延びた第１アーム部６４Ｆと、第１遊端６４ｂから第１アーム部６４Ｆとは別の方向に位置する第２遊端６４ｃまで直線状に延びた第２アーム部６４Ｇとを有する。第２遊端６４ｃは、揺動軸芯Ｘ３を基準にして第１遊端６４ｂよりも更に径方向外側に位置する。第１遊端６４ｂには、印画紙２に接当を介して湾曲化させる作用部として、合成樹脂製などの軽量なコロ６５が印画紙２の幅方向と平行な軸芯周りで遊転自在に枢支されている。また、第２遊端６４ｃの左右側面から一対の被操作棒６６（被操作部の一例）が横向きに延びている。揺動アーム６４は、振り分け搬送ユニット５０に設けられた操作ロッド５１（補助操作部材及び切り換え機構の一例）からの作用を被操作棒６６を介して受けて揺動操作される。
【００２６】
揺動アーム６４は、軸芯Ｘ３周りでの揺動の結果、図１２（ｃ）などに例示するように、振り分け搬送ユニット５０によって導入部６０に送られる印画紙２の移動経路にコロ６５の一部が進入した「操作位置」と、図１２（ａ）などに例示するように、コロ６５が前記移動経路から退避した「退避位置」との間で変位可能となっている。そして、揺動アーム６４は、捻りコイルばね６８（付勢機構及び切り換え機構の一例）等の付勢手段によって通常は前記「操作位置」に付勢されており、振り分け搬送ユニット５０が導入部６０に近接した時に操作ロッド５１からの作用によって前記付勢手段の付勢力に抗して前記「退避位置」に切り換えられる。
図１１と図１２に示すように、操作ロッド５１は、振り分け搬送ユニット５０の縦移動部材３１に対して、振り分け搬送ユニットの移動方向に沿って、即ち上下に相対移動可能に支持された摺動部５１ａと、摺動部５１ａの上端に設けられた操作片５１ｂとからなり、摺動部５１ａには、コイルばね５２（付勢手段の一例）が外嵌されている。コイルばね５２は、縦移動部材３１の一部と操作片５１ｂの下端部との間に押し縮められた状態で介装されているので、より伸張しようとするコイルばね５２の付勢力によって、通常（振り分け搬送ユニット５０が下方の受け取り位置の付近に位置する時）は操作ロッド５１は上方の導入部６０に向かってより長く突出した状態に付勢されている。尚、コイルばね５２の付勢力は、振り分け搬送ユニット５０の導入部６０に近接する移動に応じて、揺動アーム６４を捻りコイルばね６８の付勢力に抗して前記「退避位置」に切り換え得る程度に大きく設定されている。
また、図４に一点鎖線によって示すように、一対の操作ロッド５１の操作片５１ｂどうしの間隔は、Ｌ判以下の小幅サイズの印画紙２を左右の一方の導入部６０に受け渡す際（左右の導入部６０に交互に受け渡された印画紙２は現像処理部ＤＥを千鳥状に２列で流れる）には、２本の操作ロッド５１が左右いずれかの揺動アーム６４の左右一対の被操作棒６６を均等に押し上げ操作でき、左右双方の導入部６０に渡るような六つ切りなどの大幅サイズの印画紙を左右２箇所の導入部６０の中心付近に受け渡す際（この場合は印画紙は左右に振り分けられることなく現像処理部ＤＥの中心を１列で流れる）には、図４に実線で記された一対の操作ロッド５１の位置が示すように、２つの操作片５１ｂが、（左側の導入部６０の揺動アーム６４の右側の被操作棒６６と右側の導入部６０の揺動アーム６４の左側の被操作棒６６とを押し上げることによって）２つの揺動アーム６４を同時に操作できるように設定されている。
【００２７】
（縦搬送装置ＣＶに対する制御形態）
縦搬送装置ＣＶは一例として以下の要領で制御される。
〈１−１〉先ず、露光装置Ｅｍから露光済みの印画紙２が供給される際には、予め、振り分け搬送ユニット５０は現像処理部ＤＥの左右いずれかの導入部６０に近接した受け渡し位置（不図示）に配置され、図１０（ａ）に示すように、反転ユニット２０の反転フレーム２２は、第１挟持ローラ対２３，２４が上下に並んだ「受け入れ姿勢」を取っており、且つ、第１挟持ローラ対２３，２４の従動ローラ２４は、駆動ローラ２３から僅かに離間した「中間開放姿勢」に保持されている。すなわち、遊転コロ２８は圧着カム３０の中径面３０ｂに支持されている。この状態で、露光装置Ｅｍから供給される露光済みの印画紙２の先端が、第１挟持ローラ対２３，２４の間に送り込まれる。この「中間開放姿勢」は、露光装置Ｅｍから供給される印画紙２が、駆動ローラ２３と従動ローラ２４との間でばたつくことなく、第１挟持ローラ対２３，２４の間に円滑に送り込まれるように、ローラ間の開き寸法が設定されている。尚、印画紙２は露光装置Ｅｍから乳剤面を上に向けたほぼ水平な姿勢で送られて来る。
【００２８】
〈１−２〉次に、印画紙２の後端が露光装置Ｅｍの露光エンジン１６による露光を受け終え、未だ下流側の露光ローラ対１７，１８によって挟持されている間に、図１０（ｂ）に示すように、反転ユニット２０を「受け入れ姿勢」の保持したままで、第１挟持ローラ対２３，２４の駆動ローラ２３を下流側の露光ローラ対１７，１８と同じ周速度で回転駆動開始し、続いて、従動ローラ２４を「圧着姿勢」に切り換える。従動ローラ２４の「圧着姿勢」への切り換えは、圧着モータＭ２の回転駆動によって圧着カム３０を（保持プレート２１の左端から見て）反時計回りに約２４０°回転させることで実現され、これによって遊転コロ２８は圧着カム３０の小径面３０ａ（但し、小径面３０ａの中でも最も大径面３０ｃに近接した位置）に支持される。
【００２９】
〈１−３〉印画紙２の後端が下流側の露光ローラ対１７，１８から抜け出し、反転ユニット２０の第１挟持ローラ対２３，２４のみによる搬送によって、印画紙２の後端の圧着フレーム２５の受け入れ案内板２５ａからの突出量が所定の値になった時点で、駆動ローラ２３の回転を停止し、引き続き、図１０（ｃ）に示すように、従動ローラ２４を「圧着姿勢」に維持したままで、反転フレーム２２を第１挟持ローラ対２３，２４が前後に並んだ「受け渡し姿勢」に切り換える。この切り換え操作によって、第１挟持ローラ対２３，２４に挟持されている印画紙２は、乳剤面を現像処理部ＤＥの方向に向けたほぼ垂直な姿勢となる。この「受け渡し姿勢」への切り換え操作は、圧着カム３０は停止したまま、揺動モータＭ１によって反転フレーム２２を（保持プレート２１の左端から見て）反時計方向に９０°回転させるだけで実現できる。これは、反転フレーム２２の回転に基づいて、遊転コロ２８も圧着カム３０の周面上を移動するが、図１０（ｃ）から理解されるように、反転フレーム２２が９０°回転操作されても、（小径面３０ａは約１４０°の角度範囲を有するため）遊転コロ２８は相変わらず圧着カム３０の小径面３０ａの範囲内に維持されるからである。従って、この圧着カム３０のカム面構成により、従動ローラ２４は「圧着姿勢」に維持したままで、反転フレーム２２を「受け渡し姿勢」に切り換える操作を、圧着カム３０を停止したまま実施できる。
尚、印画紙２の後端の受け入れ案内板２５ａからの突出量を前記所定の値に設定する操作は、受け入れ案内板２５ａ付近に設けた非接触式のセンサによる印画紙２の先端の検出信号に基づいて実施することもできるし、或いは、露光装置Ｅｍで印画紙２を露光する際に用いたデータに基づいて前記突出量を制御することも可能である。
【００３０】
〈１−４〉反転フレーム２２が「受け渡し姿勢」に切り換えられるのとほぼ同時に、図１０（ｃ）に途中経過を示すように、振り分け搬送ユニット５０が縦移動モータＭ４によって下降操作され、反転ユニット２０と近接配置される（受け取り位置の一例）。振り分け搬送ユニット５０の受け渡し位置において横移動部材３２が左右の一方に変位している場合には、振り分け搬送ユニット５０の下降操作は、その横移動部材３２を横移動モータＭ５によって保持プレート２１に対してセンタリングしながら行われる。この近接に基づいて、反転ユニット２０の第１中間ギヤＧ２と振り分け搬送ユニット５０の第２中間ギヤＧ３との間の噛合状態が達成されると、引き続き、送りモータＭ３が回転駆動されることで、反転ユニット２０の駆動ローラ２３と振り分け搬送ユニット５０の駆動ローラ３５とが同一方向に同期回転し、印画紙２は反転ユニット２０から振り分け搬送ユニット５０に向かって上方に移動開始する。
【００３１】
〈１−５〉反転ユニット２０の駆動ローラ２３と振り分け搬送ユニット５０の駆動ローラ３５との同期回転に基づいて、印画紙２の上端が振り分け搬送ユニット５０の第２挟持ローラ対３５，３６に挟持され、印画紙２の上端が振り分け搬送ユニット５０から上方に所定の長さだけ突出した状態になると、送りモータＭ３の回転駆動を停止し、引き続き、図１０（ｄ）に示すように、反転ユニット２０の従動ローラ２４を「完全開放姿勢」に切り換えることで、反転ユニット２０から振り分け搬送ユニット５０に印画紙２を引き渡す。この「完全開放姿勢」への切り換えは、圧着モータＭ２の回転駆動によって圧着カム３０を（保持プレート２１の左端から見て）時計回りに約２４０°回転させることで実現され、これによって遊転コロ２８は圧着カム３０の大径面３０ｃに支持される。
【００３２】
〈１−６〉反転ユニット２０の従動ローラ２４が「完全開放姿勢」に切り換えられると、直ぐに、振り分け搬送ユニット５０の上昇操作が開始される。印画紙２がＬ版などの小幅サイズの場合には、現像処理部ＤＥにおいて左右２列に並んだ並列搬送が可能なので、図４の斜め向きの矢印が示すように、振り分け搬送ユニット５０は、横移動部材３２を左右の一方（図では左側）にシフトさせながら、現像処理部ＤＥの導入部６０に近接した位置（受け渡し位置の一例）まで上昇操作され、横移動部材３２の第２挟持ローラ対３５，３６に挟持された印画紙２は、左側の導入部６０の挟持ローラ対ローラ６１に受け渡される。すなわち、この場合、印画紙２は振り分け搬送ユニット５０によって、反転ユニット２０の第１挟持ローラ対２３，２４から真上向きではなく、左上方の斜め向きに比較的高速で抜き出されるが、従動ローラ２４が「完全開放姿勢」に切り換えられているので、印画紙２が第１挟持ローラ対２３，２４との摩擦によって損傷を受ける等の事態が回避される構成となっている。
【００３３】
〈１−７〉振り分け搬送ユニット５０が（例えば左側の導入部６０の）導入ローラ対６１に近づく過程の初期状態では、図１１（ａ）に示すように、揺動部材６４は捻りコイルばね６８の付勢力によって「操作位置」にある。この状態から振り分け搬送ユニット５０が更に導入ローラ対６１に近づくと、先ず、印画紙２の先端が「操作位置」にある揺動部材６４のコロ６５に接触するよりも前に、２本の操作ロッド５１の各操作片５１ｂが左側の導入部６０の揺動アーム６４の一対の被操作棒６６に接当し、振り分け搬送ユニット５０が導入ローラ対６１にさらに近づくと、図１１（ｂ）に示すように、被操作棒６６を押し上げ始め、揺動部材６４が「退避位置」に切り換えられる。従って、振り分け搬送ユニット５０に挟持されている印画紙２の先端は、揺動部材６４のコロ６５と接触することなくコロ６５の上方にある空間に抜け出る。引き続き振り分け搬送ユニット５０が更に導入ローラ対６１に近づくと、図１２（ａ）に示すように、操作ロッド５１の操作片５１ｂが導入フレーム７１の一部に接当開始して、操作ロッド５１はコイルばね５２の付勢力に抗して縦移動部材３１に対して下方に摺動移動（収縮するという表現も可能）を開始するので、揺動部材６４を「退避位置」に保持したままの状態で、振り分け搬送ユニット５０は引き続き上昇を続けることができ、最終的に、図１２（ｂ）に示すように、振り分け搬送ユニット５０の補助突起３２ｂが導入ローラ対６１の複数のローラ部８０ａどうしの間に形成された間隙８０ｂ内に入り込むまで上昇した位置（操作ロッド５１のコイルばね５２は略完全に収縮し切った状態を呈する）で、印画紙２の先端が、現像処理部ＤＥにおける印画紙２の搬送速度と同期した送り速度で常に回転駆動されている導入ローラ対６１に受け渡される。
【００３４】
導入ローラ対６１に受け渡された印画紙２は、導入ローラ対６１によって現像処理部ＤＥに向かって搬送開始され、引き続き、各現像処理槽を経由することで現像処理を施される。
尚、振り分け搬送ユニット５０の駆動ローラ３５は、反転ユニット２０から切り離されて以後は搬送力を持たない遊転状態になるので、振り分け搬送ユニット５０の上昇中に印画紙２が自重で第２挟持ローラ対３５，３６から抜け落ちないように、駆動ローラ３５の反転を阻止するラチェット機構が設けられている。図８に示すように、このラチェット機構は、入力ギヤＧ４の側面に一体的に形成された爪車４３と、先端が爪車４３と噛合する係止姿勢と爪車４３から抜け出た解除姿勢との間で揺動可能に横移動部材３２上に支持された爪部材４４と、爪部材４４を係止姿勢に付勢するコイルバネ４５とからなる。この爪部材４４の爪の向きは、駆動ローラ３５の反転を阻止すると同時に、常に圧着状態に保たれている圧着タイプのローラ対である第２挟持ローラ対３５，３６から導入ローラ対６１が印画紙２を上方に抜き取る操作を許すように設定されている。
【００３５】
〈１−８〉導入ローラ対６１による第２挟持ローラ対３５，３６からの印画紙２の抜き取りが完了すると、図１２（ｃ）に示すように、振り分け搬送ユニット５０は即刻、下方の受け取り位置に向かって移動開始し、この時に横移動部材３２も中央の前記ホームポジションに向かって移動開始する。振り分け搬送ユニット５０が下方に移動開始すると、先ず、操作ロッド５１がコイルばね５２の付勢力によって伸張し始め、振り分け搬送ユニット５０が更に下方に移動して、操作ロッド５１が最大長さまで伸張し切ると、図１２（ｃ）の円弧状の矢印が示すように、揺動アーム６４は捻りコイルばね６８の付勢力によって「操作位置」に向かって復帰開始する。この復帰の過程で、揺動アーム６４のコロ６５は、未だ導入ローラ対６１よりも下方に突出している印画紙２の下方部分の乳剤面側を保持プレート２１と反対側の方向に押して、印画紙２が略円弧状に湾曲した状態に矯正する（この乳剤面側が凸状となる湾曲は一般に印画紙の折れ等の損傷を伴わない）。この矯正は、（例えば左側の）導入ローラ対６１によって現像処理部ＤＥに向けて送り込み（導入）開始されている先行する印画紙２の下端部位が、次に露光完了した後続の印画紙２を受け取って（右側の）導入部６０に受け渡そうとする振り分け搬送ユニット５０の縦移動部材３１と干渉して損傷するのを防ぐために行われ、その結果、先行する印画紙２の後端が一方の導入部６０を通過するタイミングを待つことなく後続の印画紙２を他方の導入部６０に受け渡すことが可能となり、その分だけ処理速度を高めることができる。
尚、コロ６５は印画紙２の幅方向と平行な軸芯周りで遊転自在に枢支されているので、印画紙２の一部を保持プレート２１と反対側に押出す際にも、また、印画紙２の押出された部位が上方に引き取られる際にも、印画紙２の面との接当に基づいて非常に転動し易いので、印画紙２の面を損傷し難い。また、コロ６５が合成樹脂製などの軽量な素材で形成された小さな部材からなる点も、印画紙２の面との接当に基づいて非常に転動し易い傾向を助長しており、印画紙２の面を損傷し難くしている。
【００３６】
〈１−９〉振り分け搬送ユニット５０に挟持された印画紙２が反転ユニット２０の第１挟持ローラ対２３，２４から抜き出されると、直ぐに、駆動ローラ２３とこれに連動した振り分け搬送ユニット５０の駆動ローラ３５との回転駆動を停止し、再び、図１０（ａ）に示すように、反転ユニット２０の反転フレーム２２は、第１挟持ローラ対２３，２４が上下に並んだ「受け入れ姿勢」に戻され、同時に、反転ユニット２０の従動ローラ２４が「中間開放姿勢」に切り換えられる。これによって、露光装置Ｅｍから供給される次の露光済みの印画紙２を受け入れるための態勢が得られる。この〈１−９〉工程は、上記の〈１−８〉工程における振り分け搬送ユニット５０の下方移動と略同時に開始される。
反転ユニット２０の反転フレーム２２を「受け渡し姿勢」から「受け入れ姿勢」に切り換え、同時に、反転ユニット２０の従動ローラ２４を「完全開放姿勢」から「中間開放姿勢」に切り換える操作は、圧着カム３０は停止したまま、揺動モータＭ１によって反転フレーム２２を（保持プレート２１の左端から見て）時計方向に９０°回転させるだけで実現できる。すなわち、圧着カム３０を停止させた状態で、反転フレーム２２を反時計方向に９０°回転させると、反転ユニット２０の遊転コロ２８が圧着カム３０上を転動して大径面３０ｃから中径面３０ｂへと移動するので、従動ローラ２４は「完全開放姿勢」から「中間開放姿勢」に切り換られる。従って、この圧着カム３０のカム面構成により、反転ユニット２０の反転フレーム２２を「受け渡し姿勢」から「受け入れ姿勢」に切り換え、同時に、反転ユニット２０の従動ローラ２４を「完全開放姿勢」から「中間開放姿勢」に切り換える操作を、圧着カム３０は停止したまま実施できる。
尚、露光装置Ｅｍから供給される次の印画紙２は、先の印画紙２と同じ要領で振り分け搬送ユニット５０に手渡され、振り分け搬送ユニット５０は、今度は、印画紙を右側の導入部６０の導入ローラ対６１に受け渡す（印画紙２がＬ版などの小サイズの場合）。
【００３７】
以下、同様の制御が繰り返される。但し、現像処理部ＤＥにおいて複数列に並ぶ並列搬送ができないような六つ切りサイズのような大幅の印画紙を処理する場合には、振り分け搬送ユニット５０は、反転ユニット２０の第１挟持ローラ対２３，２４から受け取った印画紙２を（横移動部材３２を全く或いは殆どホームポジションから移動させることなく）真上向きに搬送し、印画紙２の幅方向の中心が左右の導入ローラ対６１の中央になるように受け渡す。
【００３８】
〔別実施形態〕
印画紙２を湾曲させるための操作部材を、振り分け搬送ユニット５０に設けた補助操作部材によって切り換える構成ではなく、振り分け搬送ユニット５０の導入部６０への近接に応じて、前記操作部材の位置或いは姿勢を電動モータ等のアクチュエータで切り換え操作することによって、印画紙２を湾曲させる構成としても良い。また、導入アセンブリ７０の一部などに設けられたノズルから印画紙２の面に横向きにエアを吹き付けることで、作用部を印画紙２と接触させることなく印画紙２を湾曲させる構成としても良い。
【図面の簡単な説明】
【００３９】
【図１】画像処理部Ａとプリント処理部Ｂとを備える写真プリント装置の略図
【図２】プリント処理部Ｂの横搬送装置ＣＨを示す側面図
【図３】プリント処理部Ｂの縦搬送装置ＣＶを示す側面図
【図４】プリント処理部Ｂの縦搬送装置ＣＶを示す正面図
【図５】プリント処理部Ｂの縦搬送装置ＣＶを示す斜視図
【図６】反転ユニット２０の主な構成部品を示す分解斜視図
【図７】導入部６０の構成を示す斜視図
【図８】縦搬送装置ＣＶの回転伝達機構３８を示す側面図
【図９】反転ユニット２０の第１挟持ローラ対２３，２４と圧着カム３０を示す説明図
【図１０】圧着カム３０による従動ローラ２４の動きと反転フレーム２２の動きとを示す説明図
【図１１】振り分け搬送ユニット５０と導入部６０との間で実現される作用を示す説明図
【図１２】振り分け搬送ユニット５０と導入部６０との間で実現される作用を示す説明図
【符号の説明】
【００４０】
Ａ  画像処理部
Ｂ  プリント処理部
１  写真フィルム
２  印画紙（感材の一例）
ＥＸ  露光処理部
Ｅｍ  露光装置
１６  露光エンジン
１７，１８  露光ローラ対
ＤＥ  現像処理部
ＣＶ  縦搬送装置（感材受け渡し装置）
２１  保持プレート
２０  反転ユニット
２５  圧着フレーム
２６  操作軸
２７  操作アーム
５０  振り分け搬送ユニット
３１  縦移動部材（移動アーム）
３２  横移動部材
３５  駆動ローラ
３６  従動ローラ
３８  回転伝達機構
５１  操作ロッド（補助操作部材、切り換え機構）
５１ａ  摺動部
５１ｂ  操作片
５２  コイルばね（付勢手段）
６０  導入部
６１  挟持ローラ対
６３  矯正機構
６４  揺動アーム（操作部材）
６５  コロ
６６  被操作棒（被操作部）
６８  捻りコイルばね（付勢機構、切り換え機構）
７０  導入アセンブリ
７１  導入フレーム
【図１】
2005115262.tif 000003
【図２】
2005115262.tif 000004
【図３】
2005115262.tif 000005
【図４】
2005115262.tif 000006
【図５】
2005115262.tif 000007
【図６】
2005115262.tif 000008
【図７】
2005115262.tif 000009
【図８】
2005115262.tif 000010
【図９】
2005115262.tif 000011
【図１０】
2005115262.tif 000012
【図１１】
2005115262.tif 000013
【図１２】
2005115262.tif 000014